(57)【要約】【課題】センサを光源から離れた位置や突出した位置に取り付けることなく、ランプと一体化しているセンサ付ランプユニットを提供する。【解決手段】センサ付ランプユニットは固体発光素子を光源とする。口金は使用する際に外部機器に取り付けられ商用電源に接続されて電力の供給を受ける。グローブは光源から発光された光が通過する領域に穴があり口金と繋がれている。発光モジュールは口金と前記グローブとからなる筐体の内部に収納され固体発光素子を含む。駆動回路は筐体の内部に収納され口金から受けた電力により発光モジュールを点灯させる。センサはグローブの外面に配置されグローブの穴に配線を通すことよってグローブの内面と接続される。制御回路は筐体の内部に収納されセンサと配線されセンサからの信号を入手して演算処理し駆動回路を制御して発光モジュールの点灯状態を変化させる。【選択図】図２
2011204637.tif 000002
【特許請求の範囲】
【請求項１】
固体発光素子を光源とするセンサ付ランプユニットであって、
使用する際に外部機器に取り付けられ、商用電源に接続されて、電力の供給を受ける口金と、
光源から発光された光が通過する領域に穴があり、前記口金と繋がれているグローブと、
前記口金と前記グローブとからなる筐体の内部に収納され、１又は複数個の固体発光素子を含む発光モジュールと、
前記筐体の内部に収納され、前記口金から受けた電力により、前記発光モジュールを点灯させる駆動回路と、
前記グローブの外面に配置され、前記グローブの穴に配線を通すことよって、グローブの内面と接続されるセンサと、
前記筐体の内部に収納され、前記センサと配線され、当該センサからの信号を入手して演算処理し、前記駆動回路を制御して、前記発光モジュールの点灯状態を変化させる制御回路とを備えることを特徴とする、センサ付ランプユニット。
【請求項２】
前記センサは、人が存在するか否かを検知するための人感センサであり、
前記制御回路は、
前記人感センサからの信号を入手して演算処理し、当該演算処理の結果に基づいて、前記駆動回路を制御して、前記人感センサにより人が存在すると検知された場合に、前記発光モジュールを点灯させ、人が存在しないと検知された場合に、前記発光モジュールを消灯または減光させることを特徴とする請求項１に記載のセンサ付ランプユニット。
【請求項３】
前記センサは、イメージセンサを内包する小型カメラであって、周囲の映像を撮影して映像信号を生成し、
前記制御回路は、
前記映像信号を入手し、画像処理を施して、移動体、又は、特定のものが存在するか否かを判断し、当該判断の結果に基づいて、前記駆動回路を制御して、当該移動体、又は、当該特定のものが存在すると判断された場合に、前記発光モジュールを点灯させ、当該移動体、又は、当該特定のものが存在しないと判断された場合に、前記発光モジュールを消灯または減光させることを特徴とする請求項１に記載のセンサ付ランプユニット。
【請求項４】
前記センサは、イメージセンサを内包する小型カメラであって、周囲の映像を撮影して映像信号を生成し、
前記制御回路は、
前記映像信号を入手し、画像処理を施して色相を検知し、当該画像処理の結果に基づいて、前記駆動回路を制御して、前記発光モジュールの点灯色を変化させることを特徴とする請求項１に記載のセンサ付ランプユニット。
【請求項５】
前記制御回路は、さらに、
変化させた点灯色を示す調光度合いを、前記口金を介して、外部へ出力することを特徴とする請求項４に記載のセンサ付ランプユニット。
【請求項６】
前記センサは、イメージセンサを内包する小型カメラであって、周囲の映像を撮影して映像信号を生成し、
前記制御回路は、
前記映像信号を入手し、画像処理を施して明度を検知し、当該画像処理の結果に基づいて、前記駆動回路を制御して、前記発光モジュールの明るさを変化させることを特徴とする請求項１に記載のセンサ付ランプユニット。
【請求項７】
前記制御回路は、さらに、
変化させた明るさを示す点灯状態を、前記口金を介して、外部へ出力することを特徴とする請求項６に記載のセンサ付ランプユニット。
【請求項８】
前記制御回路は、
前記演算処理の結果を、前記口金を介して、外部へ出力することを特徴とする請求項１に記載のセンサ付ランプユニット。
【請求項９】
前記センサは、人が存在するか否かを検知するための人感センサであり、
前記制御回路は、
前記人感センサからの信号を入手して演算処理し、当該演算処理の結果に基づいて、人の有無を示す情報を、外部へ出力することを特徴とする請求項８に記載のセンサ付ランプユニット。
【請求項１０】
前記センサは、イメージセンサを内包する小型カメラであって、周囲の映像を撮影して映像信号を生成し、
前記制御回路は、
前記映像信号を入手し、画像処理を施して、移動体、又は、特定のものが存在するか否かを判断し、当該画像処理の結果に基づいて、当該移動体、又は、当該特定のものの有無を示す情報を、外部へ出力することを特徴とする請求項８に記載のセンサ付ランプユニット。
【請求項１１】
前記センサは、イメージセンサを内包する小型カメラであって、周囲の映像を撮影して映像信号を生成し、
前記制御回路は、
前記映像信号を入手し、画像処理を施して色相を検知し、当該画像処理の結果に基づいて、当該色相を示す情報を、外部へ出力することを特徴とする請求項８に記載のセンサ付ランプユニット。
【請求項１２】
前記センサは、イメージセンサを内包する小型カメラであって、周囲の映像を撮影して映像信号を生成し、
前記制御回路は、
前記映像信号を入手し、画像処理を施して明度を検知し、当該画像処理の結果に基づいて、当該明度を示す情報を、外部へ出力することを特徴とする請求項８に記載のセンサ付ランプユニット。
【請求項１３】
前記センサは、煙、熱、音、湿度、及び振動のうちの少なくとも１つを検知するセンサであり、
前記制御回路は、
前記センサからの信号を入手して演算処理し、当該演算処理の結果に基づいて、煙、熱、音、湿度、及び振動のうちの少なくとも１つを示す情報を、外部へ出力することを特徴とする請求項８に記載のセンサ付ランプユニット。
【請求項１４】
前記センサは、危険なレベルを検知する防災センサであり、
前記制御回路は、前記防災センサから危険なレベルの信号を入手すると、前記駆動回路を制御して、前記発光モジュールを緊急点灯させることを特徴とする請求項１３に記載のセンサ付ランプユニット。
【請求項１５】
前記制御回路は、さらに、
前記発光モジュールを緊急点灯させる際に、前記発光モジュールの点灯色と明るさとを顕著に変化させることを特徴とする請求項１４に記載のセンサ付ランプユニット。
【請求項１６】
当該センサ付ランプユニットは、さらに、
ブザー、又はスピーカを備え、
前記制御回路は、さらに、
前記発光モジュールを緊急点灯させる際に、前記ブザー、又はスピーカを鳴らすことを特徴とする請求項１４に記載のセンサ付ランプユニット。
【請求項１７】
当該センサ付ランプユニットは、さらに、
前記筐体の内部に収納され、前記口金を介して、商用電源に通信信号が重畳された電力の供給を受け、当該通信信号を分離して、光源用の電力と、当該通信信号とを、別々に出力する分離回路を備え、
前記通信信号は、点灯、消灯、減光、調光、又は調色の指令を含み、
前記制御回路は、
前記通信信号に基づいて、前記駆動回路を制御して、前記発光モジュールを、点灯、消灯、減光、調光、又は調色させることを特徴とする請求項１に記載のセンサ付ランプユニット。
【請求項１８】
前記グローブにおいて、
前記穴が、前記口金から最も遠い先端部分にあることを特徴とする請求項１に記載のセンサ付ランプユニット。
【請求項１９】
前記センサは、前記グローブの穴から、前記配線を引き出して、当該グローブの外面より離すことができることを特徴とする請求項１に記載のセンサ付ランプユニット。
【請求項２０】
請求項９に記載のセンサ付ランプユニットを複数設置し、
前記ランプユニットのそれぞれから、人の有無を示す情報を、前記口金を介して入手して、人の動きを認識する中央認識部と、
前記中央認識部により認識された人の動きに応じて、外部の電気機器を制御するか、又は、前記センサ付ランプユニットのそれぞれが備える発光モジュールの点灯状態を変化させる中央制御部とを備えることを特徴とする、センサ付ランプシステム。
【発明の詳細な説明】
【技術分野】
【０００１】
本発明は、ＬＥＤやＥＬ等の固体発光素子を光源とするセンサ付ランプユニットに関し、より特定的には、ランプユニットに各種センサを内蔵することにより付加価値を与え、利便性を高めるための技術に関する。
【背景技術】
【０００２】
近年、半導体技術の向上に伴い、固体発光素子を光源とするランプの需要が高まっている。
上記ランプは電力消費量が少なく寿命が長いため、省エネルギー化の促進に大きく貢献するものであり、今後爆発的に普及するものと予想される。
【０００３】
一方、省エネルギー化の促進のため、赤外線検知式等の人感センサによって人が存在するか否かを判定し、不在の時は照明を消灯または減光させる自動点灯機能を備える照明器具がある。
ここで、従来の人感センサを備える照明器具が、特許文献１に開示されている。
特許文献１には、電球用や蛍光灯用の照明器具５０に対人センサ７０（人感センサ）を取り付けた無線ＬＡＮシステムが開示され、人の存在が検知されたときに、無線ＬＡＮアクセスポイント１０を自動的にオンすることができると記載されている（特許文献１：段落００６２〜００６５）。
【先行技術文献】
【特許文献】
【０００４】
【特許文献１】特開２００８−００７５１４号公報
【発明の概要】
【発明が解決しようとする課題】
【０００５】
上記自動点灯機能を備える照明器具において、人感センサは、部屋全体を見渡せる比較的見晴らしがよい場所であって、かつ、電球や蛍光灯などの光源から照射される赤外線や熱によって誤動作を起こさないように、光源から幾分離れた位置に取付けられている。
しかしながら、需要の多い電球置き換え型のランプ（以下「電球型ランプ」と記す）に人感センサなどのセンサを内蔵して、既存の照明機器と容易に置き換えができるようにすることを考えた場合には、電球型ランプではできるだけ電球の形状に近づけることが肝要なので、センサを光源から離れた位置や突出した位置に取り付けることは望ましくない。また電球型ランプに限らず、他のランプにおいても、取り扱いの容易さの観点等により、内蔵するセンサが突出することなく、ランプと一体化している方が望ましい。
【０００６】
それ故に、本発明の目的は、センサを光源から離れた位置や突出した位置に取り付けることなく、センサがランプと一体化しているセンサ付ランプユニット、及びセンサ付ランプシステムを提供することである。
【課題を解決するための手段】
【０００７】
本発明は、固体発光素子を光源とするセンサ付ランプユニットに向けられている。そして上記課題を解決するために、本発明の固体発光素子を光源とするセンサ付ランプユニットは、口金と、グローブと、発光モジュールと、駆動回路と、センサと、制御回路とを備える。口金は、使用する際に外部機器に取り付けられ、商用電源に接続されて、電力の供給を受ける。グローブは、光源から発光された光が通過する領域に穴があり、前記口金と繋がれている。発光モジュールは、前記口金と前記グローブとからなる筐体の内部に収納され、１又は複数個の固体発光素子を含む。駆動回路は、前記筐体の内部に収納され、前記口金から受けた電力により、前記発光モジュールを点灯させる。センサは、前記グローブの外面に配置され、前記グローブの穴に配線を通すことよって、グローブの内面と接続される。制御回路は、前記筐体の内部に収納され、前記センサと配線され、当該センサからの信号を入手して演算処理し、前記駆動回路を制御して、前記発光モジュールの点灯状態を変化させる。
【０００８】
また、固体発光素子を光源とするセンサ付ランプユニットにおいて、前記センサは、人が存在するか否かを検知するための人感センサであり、前記制御回路は、前記人感センサからの信号を入手して演算処理し、当該演算処理の結果に基づいて、前記駆動回路を制御して、前記人感センサにより人が存在すると検知された場合に、前記発光モジュールを点灯させ、人が存在しないと検知された場合に、前記発光モジュールを消灯または減光させるとよい。
【０００９】
また、固体発光素子を光源とするセンサ付ランプユニットにおいて、前記センサは、イメージセンサを内包する小型カメラであって、周囲の映像を撮影して映像信号を生成し、前記制御回路は、前記映像信号を入手し、画像処理を施して、移動体、又は、特定のものが存在するか否かを判断し、当該判断の結果に基づいて、前記駆動回路を制御して、当該移動体、又は、当該特定のものが存在すると判断された場合に、前記発光モジュールを点灯させ、当該移動体、又は、当該特定のものが存在しないと判断された場合に、前記発光モジュールを消灯または減光させるとよい。
【００１０】
また、固体発光素子を光源とするセンサ付ランプユニットにおいて、前記センサは、イメージセンサを内包する小型カメラであって、周囲の映像を撮影して映像信号を生成し、前記制御回路は、前記映像信号を入手し、画像処理を施して色相を検知し、当該画像処理の結果に基づいて、前記駆動回路を制御して、前記発光モジュールの点灯色を変化させるとよい。
【００１１】
また、固体発光素子を光源とするセンサ付ランプユニットにおいて、前記制御回路は、さらに、変化させた点灯色を示す調光度合いを、前記口金を介して、外部へ出力するとよい。
【００１２】
また、固体発光素子を光源とするセンサ付ランプユニットにおいて、前記センサは、イメージセンサを内包する小型カメラであって、周囲の映像を撮影して映像信号を生成し、前記制御回路は、前記映像信号を入手し、画像処理を施して明度を検知し、当該画像処理の結果に基づいて、前記駆動回路を制御して、前記発光モジュールの明るさを変化させるとよい。
【００１３】
また、固体発光素子を光源とするセンサ付ランプユニットにおいて、前記制御回路は、さらに、変化させた明るさを示す点灯状態を、前記口金を介して、外部へ出力するとよい。
【００１４】
また、固体発光素子を光源とするセンサ付ランプユニットにおいて、前記制御回路は、前記演算処理の結果を、前記口金を介して、外部へ出力するとよい。
【００１５】
また、固体発光素子を光源とするセンサ付ランプユニットにおいて、前記センサは、人が存在するか否かを検知するための人感センサであり、前記制御回路は、前記人感センサからの信号を入手して演算処理し、当該演算処理の結果に基づいて、人の有無を示す情報を、外部へ出力するとよい。
【００１６】
また、固体発光素子を光源とするセンサ付ランプユニットにおいて、前記センサは、イメージセンサを内包する小型カメラであって、周囲の映像を撮影して映像信号を生成し、前記制御回路は、前記映像信号を入手し、画像処理を施して、移動体、又は、特定のものが存在するか否かを判断し、当該画像処理の結果に基づいて、当該移動体、又は、当該特定のものの有無を示す情報を、外部へ出力するとよい。
【００１７】
また、固体発光素子を光源とするセンサ付ランプユニットにおいて、前記センサは、イメージセンサを内包する小型カメラであって、周囲の映像を撮影して映像信号を生成し、前記制御回路は、前記映像信号を入手し、画像処理を施して色相を検知し、当該画像処理の結果に基づいて、当該色相を示す情報を、外部へ出力するとよい。
【００１８】
また、固体発光素子を光源とするセンサ付ランプユニットにおいて、前記センサは、イメージセンサを内包する小型カメラであって、周囲の映像を撮影して映像信号を生成し、前記制御回路は、前記映像信号を入手し、画像処理を施して明度を検知し、当該画像処理の結果に基づいて、当該明度を示す情報を、外部へ出力するとよい。
【００１９】
また、固体発光素子を光源とするセンサ付ランプユニットにおいて、前記センサは、煙、熱、音、湿度、及び振動のうちの少なくとも１つを検知するセンサであり、前記制御回路は、前記センサからの信号を入手して演算処理し、当該演算処理の結果に基づいて、煙、熱、音、湿度、及び振動のうちの少なくとも１つを示す情報を、外部へ出力するとよい。
【００２０】
また、固体発光素子を光源とするセンサ付ランプユニットにおいて、前記センサは、危険なレベルを検知する防災センサであり、前記制御回路は、前記防災センサから危険なレベルの信号を入手すると、前記駆動回路を制御して、前記発光モジュールを緊急点灯させるとよい。
【００２１】
また、固体発光素子を光源とするセンサ付ランプユニットにおいて、前記制御回路は、さらに、前記発光モジュールを緊急点灯させる際に、前記発光モジュールの点灯色と明るさとを顕著に変化させるとよい。
【００２２】
また、固体発光素子を光源とするセンサ付ランプユニットは、さらに、ブザー、又はスピーカを備え、前記制御回路は、さらに、前記発光モジュールを緊急点灯させる際に、前記ブザー、又はスピーカを鳴らすとよい。
【００２３】
また、固体発光素子を光源とするセンサ付ランプユニットは、さらに、前記筐体の内部に収納され、前記口金を介して、商用電源に通信信号が重畳された電力の供給を受け、当該通信信号を分離して、光源用の電力と、当該通信信号とを、別々に出力する分離回路を備え、前記通信信号は、点灯、消灯、減光、調光、又は調色の指令を含み、前記制御回路は、前記通信信号に基づいて、前記駆動回路を制御して、前記発光モジュールを、点灯、消灯、減光、調光、又は調色させるとよい。
【００２４】
また、固体発光素子を光源とするセンサ付ランプユニットは、前記グローブにおいて、前記穴が、前記口金から最も遠い先端部分にあるとよい。
【００２５】
また、固体発光素子を光源とするセンサ付ランプユニットにおいて、前記センサは、前記グローブの穴から、前記配線を引き出して、当該グローブの外面より離すことができるとよい。
【００２６】
また、固体発光素子を光源とするセンサ付ランプシステムは、上記に記載のセンサ付ランプユニットのいずれかを複数設置し、さらに、中央認識部と、中央制御部とを備える。中央認識部は、前記ランプユニットのそれぞれから、人の有無を示す情報を、前記口金を介して入手して、人の動きを認識する。中央制御部は、前記中央認識部により認識された人の動きに応じて、外部の電気機器を制御するか、又は、前記センサ付ランプユニットのそれぞれが備える発光モジュールの点灯状態を変化させる。
【発明の効果】
【００２７】
以上のように、本発明のセンサ付ランプユニットにおいては、グローブに穴を開け配線を通すことよってセンサを配置するので、センサを光源から離れた位置や突出した位置に取り付けることなく、センサがランプと一体化し、かつ、センサの設置位置の自由度が高く、広い範囲を感知領域にすることができる。
さらに、本発明のセンサ付ランプユニットにおいては、人感センサにより人の存在が検知でき、手軽で簡単に自動点灯照明を導入することができる。
【００２８】
さらに、本発明のセンサ付ランプユニットにおいては、小型カメラにより移動体、又は、当該特定のものの存在が検知でき、手軽で簡単に自動点灯照明を導入することができる。
さらに、本発明のセンサ付ランプユニットにおいては、小型カメラにより色相を検知でき、手軽で簡単に点灯色を自動的に調製させることができる。
さらに、本発明のセンサ付ランプユニットにおいては、小型カメラにより明度を検知でき、手軽で簡単に明るさを自動的に調製させることができる。
【００２９】
さらに、本発明のセンサ付ランプユニットにおいては、センサからの信号に基づく演算処理の結果を、口金を介して外部へ出力することができるので、手軽で簡単に、外部の電気機器を適宜制御することができる。ここで外部の電気機器とは、テレビ、ホームシアター、エアコン、扇風機、アイロン、暖房機器、調理器具、自動ドア、駐車場等の入庫状況の掲示、カメラ、ブザー、及びスピーカ等である。
さらに、本発明のセンサ付ランプユニットにおいては、危険を検知して知らせることができるので、手軽で簡単に災害対策ができる。
【００３０】
また、本発明のセンサ付ランプシステムにおいては、中央認識部が複数のセンサ付ランプユニットから人の有無を示す情報を入手して総合的に人の動きを認識し、中央制御回路が外部の電気機器を制御するか、又は、個々の発光モジュールの点灯状態を変化させるので、複数のセンサで家中を感知領域にすることができ、各々の制御を正確かつ適切に行わせることができる。
【図面の簡単な説明】
【００３１】
【図１】第１の実施形態に係るランプユニット１００の外観を示す図
【図２】図１のランプユニット１００を真横方向から見て、グローブだけを縦半分に切断して中が見えるようにした、ランプユニット１００の概略を示す図
【図３】（ａ）は波長変換部材により個々のＬＥＤ素子を封止する形態の断面を示す図、（ｂ）は複数のＬＥＤ素子を波長変換部材により一括封止する形態の断面を示す図
【図４】（ａ）〜（ｃ）は、発光モジュール１３０におけるＬＥＤ素子の配列方法の具体例を示す図
【図５】第８の変形例に係るスピーカを備えるランプユニット２００の外観を示す図
【図６】第９の変形例に係るランプユニット３００の外観を示す図
【図７】第１０の変形例に係るランプユニット４００の外観を示す図
【図８】第２の実施形態のランプユニット５００の概略を示す図
【図９】第３の実施形態のランプシステム６００の概略を示す図
【発明を実施するための形態】
【００３２】
［第１の実施形態］
＜概要＞
第１の実施形態は、グローブに穴を開け、穴に配線を通すことよって、センサをグローブの外面に配置する固体発光素子を光源とするランプユニットであり、センサからの信号を入手して演算処理し、発光モジュールの点灯状態を変化させる。
また、グローブの外面に配置するセンサに人感センサを適用し、人が存在すると検知された場合に点灯し、人が存在しないと検知された場合に消灯または減光してもよい。
【００３３】
＜構成＞
図１は、第１の実施形態に係るランプユニット１００の外観を示す図である。また図２は、図１のランプユニット１００を真横方向から見て、グローブを縦半分に切断して中が見えるようにした、ランプユニット１００の概略を示す図である。
第１の実施形態に係るランプユニット１００は、固体発光素子を光源とするランプユニットであって、図１、２に示すように、口金１１０、グローブ１２０、発光モジュール１３０、駆動回路１４０、センサ１５０、及びセンサ制御回路１６０を備えている。
【００３４】
口金１１０は、金属や樹脂等の構造材により形成され、使用する際に外部機器に取り付けられ、商用電源に接続されて、電力の供給を受ける部分である。
グローブ１２０は、通過する光の進む方向をバラバラの方向に変えて拡散させ、輝度のムラを軽減する拡散膜が形成された透光性の有る樹脂製やガラス製のカバーであり、口金１１０と繋がれて筐体を形成する。またグローブ１２０には、口金１１０から最も遠い先端部分に穴１２１があり、さらに穴１２１の周辺の内面に反射膜１２４を形成しているが、反射膜１２４は必ずしも必要ではない。なお、穴１２１は、必ずしもグローブ１２０の先端部分になくても、光源から発光された光が通過する領域にあればよい。
また、グローブ１２０は、光が通過する領域１２２にのみ透光性の有る材料を用いればよいので、駆動回路１４０やセンサ制御回路１６０の周り等の光が通過しない領域１２３は透光性のない材料で形成してもよい。例えば光が通過しない領域１２３をアルミ等の導電性の高い材料で形成して、放熱性を高めることもできる。
【００３５】
発光モジュール１３０は、口金１１０とグローブ１２０とからなる筐体の内部に収納され、駆動回路１４０により駆動されて発光するＬＥＤやＥＬ等の、１個又は複数個の固体発光素子をまとめてユニット化した、照明用の固体発光素子の集合体である。なお、本実施形態では、色温度の異なる例えば２８００Ｋと６７００Ｋの２種類の発光モジュール１３０を備え、これらの出力をそれぞれ適宜調整することにより、点灯色を変化させているが、点灯色を変化させない場合には、色温度の同じ同一種類の発光モジュール１３０を複数備えてもよいし、発光モジュール１３０を１つだけ備えてもよい。
【００３６】
また、発光モジュール１３０は赤、緑、又は青等の単色を発光するＬＥＤやＥＬをユニット化したものであってもよいし、これらの各色のＬＥＤやＥＬを適宜組み合わせて、白色や他の任意の色を発光するものであってもよい。また、発光モジュール１３０は、ＬＥＤの周りにＹＡＧ蛍光体、珪酸塩蛍光体、酸窒化物蛍光体、希土類ドープガラス蛍光体、有機蛍光体、及び金属錯体蛍光体等の波長変換部材をモールドして、白色や他の任意の色を発光するものであってもよい。例えば、発光モジュール１３０は、青を発光するＬＥＤの周りに、青を青の補色に変換する波長変換部材をモールドし、白色を発光するものであってもよい。
また、発光モジュール１３０は、ＬＥＤ素子を一次実装したモジュール基板に波長変換部材を搭載する形態、及びＬＥＤ素子と蛍光体からなるパッケージをモジュール基板に２次実装する形態であってもよい。
【００３７】
また、図３（ａ）の断面図に示すように、発光モジュール１３０は、モジュール基板１３１上に複数のＬＥＤ素子１３２ａ〜ｃを搭載し、シリコーン樹脂等に青色励起の蛍光体等を分散した波長変換部材１３３ａ〜ｃにより個々のＬＥＤ素子１３２ａ〜ｃを封止する形態であってもよいし、図３（ｂ）の断面図に示すように、モジュール基板１３４上に搭載した複数のＬＥＤ素子１３５ａ〜ｆを波長変換部材１３６により一括封止する形態であってもよい。図３（ｂ）のように、面状に一括封止する形態にすると拡散光が出射される。
【００３８】
図４（ａ）〜（ｃ）は、発光モジュール１３０におけるＬＥＤ素子の配列方法の具体例を示す図である。
図４（ａ）に示すように、例えば、発光モジュール１３０は、高輝度の３個のＬＥＤ１３７を５〜１５ｍｍ程度の間隔で３角形に配置する。また、図４（ｂ）に示すように、例えば、発光モジュール１３０は、やや高輝度の２２個のＬＥＤ１３８を２次元的に配置する。また、図４（ｃ）に示すように、例えば、発光モジュール１３０は、小型の７２個のＬＥＤ１３９を２次元的に密集させて１０〜１５ｍｍ角程度の四角形に配置する。
【００３９】
ここで、発光モジュール１３０の封止材としては、シリコーン樹脂のほか、フッ素系樹脂、ゾルゲルガラス、及び低融点ガラス等が考えられ、また、熱伝導性、チクソ性、及び光拡散性（ＬＥＤ光と蛍光体光の混色）を向上させるために、透光性の金属酸化物、窒化物，炭化物（酸化珪素、酸化チタン、酸化亜鉛、酸化ジルコニウム、酸化アルミニウム、窒化アルミニウム、窒化珪素、窒化硼素、及び炭化珪素等）の微粒子（数ｎｍ〜数百ｎｍのナノ微粒子、及び数μｍ〜数十μｍのマイクロ微粒子）を添加することが好ましい。
【００４０】
駆動回路１４０は、発光モジュール１３０の点灯に適した電力を出力する電子回路であり、筐体の内部に収納され、口金１１０から受けた電力により、発光モジュール１３０を点灯させる。
センサ１５０は、グローブ１２０の外面に配置され、グローブ１２０の穴１２１に配線を通すことよって、グローブ１２０の内面に配置されたセンサ制御回路１６０に接続される各種センサであり、本実施形態では、センサ１５０は人が存在するか否かを検知するために用いられる赤外線センサ等の人感センサである。
従来の光源が電球や蛍光灯などの場合に、人感センサを本実施形態のような位置に配置することは、これらから照射される赤外線や熱による誤動作が問題となるので適切でない。しかしながら、本実施形態のように光源が固体発光素子の場合には、一般に発光される光の中に赤外線成分をほとんど含まないので、人感センサを本実施形態のような位置に配置しても赤外線や熱による誤動作は問題とならない。
【００４１】
センサ制御回路１６０は、筐体の内部に収納され、センサ１５０と配線され、センサ１５０からのセンサ入力信号を入手して演算処理し、駆動回路１４０を制御して、発光モジュール１３０の点灯状態を変化させる。
なお、人感センサからの信号を入手して演算処理し、演算処理の結果に基づいて、駆動回路１４０を制御して、人感センサにより人が存在すると検知された場合に、発光モジュール１３０を点灯させ、人が存在しないと検知された場合に、発光モジュール１３０を消灯させてもよい。また、消灯すると場合には、タイマを用いて、一定時間が経過した後で消灯または減光するようにしてもよい。
【００４２】
［第１の変形例］
第１の実施形態おいてセンサ１５０は人感センサであるが、他のセンサであってもよい。例えば、センサ１５０はイメージセンサを内包する小型カメラであってもよい。
センサ１５０が小型カメラである場合には、小型カメラが周囲の映像を撮影して映像信号を出力する。
【００４３】
ここで第１の変形例では、センサ制御回路１６０は、メモリを実装しており、小型カメラから出力される映像信号を入手し、画像処理を施して、移動体、又は、特定のものが存在するか否かを判断する。そしてセンサ制御回路１６０は、判断の結果に基づいて、駆動回路１４０を制御して、移動体、又は、特定のものが存在すると判断された場合に発光モジュール１３０を点灯させ、移動体、又は、特定のものが存在しないと判断された場合に発光モジュール１３０を消灯または減光させる。
【００４４】
移動体が存在するか否かの判断は、例えば連続して撮影した個々の画像を比較して、画像の一致度が閾値を下回るか否か、あるいは、画像内に存在位置が時刻とともに変化している被写体が有るか否かによって判断する。
また、特定のものが存在するか否か判断は、例えば予め登録しておいた特定のものの画像と所定以上の類似度がある画像を、撮影した個々の画像中から見付けることができるか否かによって判断する。
【００４５】
［第２の変形例］
第２の変形例おいて、センサ１５０は、第１の変形例と同様にイメージセンサを内包する小型カメラであり、小型カメラが周囲の映像を撮影して映像信号を出力する。
ここで第２の変形例では、センサ制御回路１６０は、小型カメラから出力される映像信号を入手し、画像処理を施して色相を検知し、画像処理の結果に基づいて、駆動回路１４０を制御して、発光モジュール１３０の点灯色を変化させる。
なお、センサ制御回路１６０は、変化させた点灯色を示す調光度合い情報を、口金１１０を介して、商用電源に重畳させて外部へ出力してもよい。
【００４６】
［第３の変形例］
第３の変形例において、センサ１５０は、第１の変形例と同様にイメージセンサを内包する小型カメラであり、小型カメラが周囲の映像を撮影して映像信号を出力する。
ここで第３の変形例では、センサ制御回路１６０は、小型カメラから出力される映像信号を入手し、画像処理を施して明度を検知し、画像処理の結果に基づいて、駆動回路１４０を制御して、発光モジュール１３０の明るさを変化させる。
なお、センサ制御回路１６０は、変化させた明るさを示す点灯状態情報を、口金１１０を介して、商用電源に重畳させて外部へ出力してもよい。
【００４７】
［第４の変形例］
第４の変形例は、センサ１５０からの信号を入手して演算処理し、演算処理の結果を口金１１０を介して、商用電源に重畳させて外部へ出力する。
第４の変形例おいて、センサ１５０は、人が存在するか否かを検知するために用いられる赤外線センサ等の人感センサである。
ここで第４の変形例では、センサ制御回路１６０は、人感センサからの信号を入手して演算処理し、演算処理の結果に基づいて、発光モジュール１３０を点灯、及び消灯させるのではなく、人の有無を示す情報を商用電源に重畳させて外部へ出力する。
【００４８】
［第５の変形例］
第５の変形例は、第４の変形例と同様に、センサ１５０からの信号を入手して演算処理し、演算処理の結果を口金１１０を介して、商用電源に重畳させて外部へ出力する。
第５の変形例おいて、センサ１５０は、イメージセンサを内包する小型カメラであり、小型カメラが周囲の映像を撮影して映像信号を出力する。
ここで第５の変形例では、センサ制御回路１６０は、第１の変形例と同様に、小型カメラから出力される映像信号を入手し、画像処理を施して、移動体、又は、特定のものが存在するか否かを判断する。そしてセンサ制御回路１６０は、判断の結果に基づいて、発光モジュール１３０を点灯、及び消灯させるのではなく、移動体、又は、特定のものの有無を示す情報を、商用電源に重畳させて外部へ出力する。
【００４９】
［第６の変形例］
第６の変形例は、第４の変形例と同様に、センサ１５０からの信号を入手して演算処理し、演算処理の結果を口金１１０を介して、商用電源に重畳させて外部へ出力する。
第６の変形例おいて、センサ１５０は、イメージセンサを内包する小型カメラであり、小型カメラが周囲の映像を撮影して映像信号を出力する。
ここで第６の変形例では、センサ制御回路１６０は、第１の変形例と同様に、小型カメラから出力される映像信号を入手し、画像処理を施して色相を検知し、画像処理の結果に基づいて、色相を示す情報を、商用電源に重畳させて外部へ出力する。
【００５０】
［第７の変形例］
第７の変形例は、第４の変形例と同様に、センサ１５０からの信号を入手して演算処理し、演算処理の結果を口金１１０を介して、商用電源に重畳させて外部へ出力する。
第７の変形例おいて、センサ１５０は、イメージセンサを内包する小型カメラであり、小型カメラが周囲の映像を撮影して映像信号を出力する。
ここで第７の変形例では、センサ制御回路１６０は、第１の変形例と同様に、小型カメラから出力される映像信号を入手し、画像処理を施して明度を検知し、画像処理の結果に基づいて、明度を示す情報を、商用電源に重畳させて外部へ出力する。
【００５１】
［第８の変形例］
第８の変形例は、第４の変形例と同様に、センサ１５０からの信号を入手して演算処理し、演算処理の結果を口金１１０を介して、商用電源に重畳させて外部へ出力する。
第８の変形例おいて、センサ１５０は、煙、熱、音、湿度、及び振動のうちの少なくとも１つを検知するセンサである。
ここで第８の変形例では、センサ制御回路１６０は、煙、熱、音、湿度、及び振動のうちの少なくとも１つを検知するセンサから出力される信号を入手して演算処理し、演算処理の結果に基づいて、煙、熱、音、湿度、及び振動のうちの少なくとも１つを示す情報を、商用電源に重畳させて外部へ出力する。
【００５２】
なお、センサ１５０は、危険なレベルを検知する防災センサであってもよい。
このような場合には、例えば、センサ制御回路１６０は、防災センサから危険なレベルの信号を入手すると、駆動回路１４０を制御して、発光モジュール１３０を緊急点灯させてもよい。
【００５３】
また例えば、センサ制御回路１６０は、発光モジュール１３０を緊急点灯させる際に、発光モジュール１３０の点灯色と明るさとを顕著に変化させて、緊急性を表してもよい。
また、例えば、さらに、ブザー、又はスピーカを設置し、発光モジュール１３０を緊急点灯させる際に、当該ブザー、又はスピーカを鳴らしてもよい。
図５は、第８の変形例に係るスピーカを備えるランプユニット２００の外観を示す図である。図５では、スピーカ２０１を、センサ１５０と同様な方法で設置している。
【００５４】
［第９の変形例］
第９の変形例は、横向きに取り付けられることを想定して、発光素子の照射面を横向きに向け、センサを横向きに配置したものである。
図６は、第９の変形例に係るランプユニット３００の外観を示す図である。
図６に示すように、センサ１５０を横向きの照射方向の中心付近に配置している。
【００５５】
［第１０の変形例］
第１０の変形例は、センサの設置位置を調整する機能を追加したものである。
図７は、第１０の変形例に係るランプユニット４００の外観を示す図である。
図７に示すように、センサ１５０の配線をグローブ１２０の穴から引き出してセンサ１５０をグローブ１２０の外面より離すことができる。なお、第１０の変形例では、ほとんど真っ直ぐで変形しないロッド棒４０１をグローブ１２０の穴から引き出して、センサ１５０をグローブ１２０の外面より離しているが、被服カバーを付けただけの変形容易なセンサ１５０の配線をグローブ１２０の穴から引き出して、センサ１５０の自重により鉛直方向に垂らすようにしてもよい。
なお、矛盾が生じない限り、複数の変形例を組み合わせることもできる。
【００５６】
＜まとめ＞
以上説明したように、第１の実施形態、及び、第１〜１０の変形例のランプユニットによれば、グローブに穴を開け配線を通すことよってセンサを配置するので、センサを光源から離れた位置や突出した位置に取り付けることなく、センサがランプと一体化し、かつ、センサの設置位置の自由度が高く、広い範囲を感知領域にすることができる。
【００５７】
［第２の実施形態］
＜概要＞
第２の実施形態は、グローブに穴を開け、穴に配線を通すことよって、センサをグローブの外面に配置する固体発光素子を光源とするランプユニットであり、センサからの信号を入手して演算処理し、商用電源に重層された通信信号を分離して、通信信号に従って、発光モジュールの点灯状態を変化させる。
また、点灯の指令に自動点灯モードを設け、自動点灯モードの状態において、グローブの外面に配置するセンサに人感センサを適用し、人が存在すると検知された場合に点灯し、人が存在しないと検知された場合に消灯または減光してもよい。
【００５８】
＜構成＞
図８は、第２の実施形態のランプユニット５００を真横方向から見て、グローブを縦半分に切断して中が見えるようにした、ランプユニット５００の概略を示す図である。
第２の実施形態に係るランプユニット５００は、固体発光素子を光源とするランプユニットであって、図８に示すように、口金１１０、グローブ１２０、発光モジュール１３０、駆動回路１４０、センサ１５０、センサ制御回路５６０、及び分離回路５７０を備えている。
なお、図８では、第１の実施形態のランプユニット１００の各構成要素と同様の機能を有する構成要素に同一番号を付している。
【００５９】
分離回路５７０は、例えばＰＬＣ（プログラマブルコントローラ）等のインテリジェントな制御回路であり、口金１１０とグローブ１２０とからなる筐体の内部に収納され、口金１１０を介して、商用電源に通信信号が重畳された電力の供給を受け、通信信号を分離して、光源用の電力と通信信号とを別々に出力する。ここで、通信信号は、点灯、消灯、減光、調光、又は調色の指令を含んでいるものとする。
センサ制御回路５６０は、筐体の内部に収納され、センサ１５０と配線され、センサ１５０からのセンサ入力信号を入手して演算処理し、分離回路３７０により出力された通信信号に基づいて、駆動回路１４０を制御して、発光モジュール１３０を、点灯、消灯、減光、調光、又は調色させる。
【００６０】
なお、通信信号に含まれる点灯の指令は、強制点灯指令、及び自動点灯指令のいずれであってもよいし、どちらかを選択できるようにしてもよい。ここで、強制点灯指令とは、センサ１５０からのセンサ入力信号に関係なく強制的に点灯するというものである。また自動点灯指令とは、センサ１５０からのセンサ入力信号に基づいて点灯したり消灯したりするものである。
自動点灯指令が有効な状態において、センサ制御回路５６０は、第１の実施形態のセンサ制御回路１６０と同様の機能を発揮する。
また、第２の実施形態は、矛盾が生じない限り、上記第１〜１０の変形例と適宜組み合わせることもでき、さらに、複数の変形例と組み合わせることもできる。
【００６１】
＜まとめ＞
以上説明したように、第２の実施形態のランプユニットによれば、グローブに穴を開け配線を通すことよってセンサを配置するので、センサを光源から離れた位置や突出した位置に取り付けることなく、センサがランプと一体化し、かつ、センサの設置位置の自由度が高く、広い範囲を感知領域にすることができる。
【００６２】
［第３の実施形態］
＜概要＞
第３の実施形態は、上記のランプユニットのいずれかを複数設置して、各々の備えるセンサの出力を総合的に判断して、人や他の物の動きを把握し、これらの動きに応じて、外部の電気機器や、ランプユニットが備える発光モジュールの点灯状態を変化させるものである。
【００６３】
＜構成＞
図９は、第３の実施形態のランプシステム６００の概略を示す図である。
第３の実施形態のランプシステム６００は、図９に示すように、メインコントロールボックス６１０と、第４の変形例のランプユニット１００ａ〜ｄを備え、エアコン７００を制御する。
メインコントロールボックス６１０は、ランプユニット１００ａ〜ｄ、及びエアコン７００に接続されており、中央認識部６１１と中央制御部６１２とを含む。
中央認識部６１１は、ランプユニット１００ａ〜ｄのそれぞれから、人の有無を示す情報を、口金１１０を介して入手して、人の動きを認識する。
【００６４】
中央制御部６１２は、中央認識部６１１により認識された人の動きに応じて、外部の電気機器を制御するか、又は、ランプユニット１００ａ〜ｄのそれぞれが備える発光モジュールの点灯状態を変化させる。本実施の形態では、中央制御部６１２がエアコン７００を制御して、人がいる位置に風向きを向けさせたり、あるいは、人がいる場所が快適な環境になるように、温度、湿度、及び風速等を適宜調整させる。
なお、第２の実施形態と第４の変形例とを組み合わせたランプユニットを複数個、廊下や階段等の通路に設置して、これらをメインコントロールボックス６１０に接続したような構成にすることもできる。このような構成にした場合には、例えば、人が通路を移動するような状況において、手前に設置されたランプユニットのセンサが人を検知したときに、移動先であると予測した別のランプユニットが備える発光モジュールを点灯させることができる。このように、単独のランプユニットでは出来なかった効率的かつ機能的な制御を行うことができる。
【００６５】
＜まとめ＞
以上説明したように、第３の実施形態のランプシステムによれば、複数のランプユニットから人の有無を示す情報を入手するので、家中を感知領域にすることができる。また、人の動きを広い範囲で認識することができるので、各々の制御を効率的かつ機能的に行うことができる。
【産業上の利用可能性】
【００６６】
本発明のランプユニットは、既存器具に取り付けることができ、特別な取り付けの手間をかけずに、各種センサを容易に取り付けることができるので、廊下や階段等の通路用のダウンライトや、各部屋や、公衆トイレなどのあらゆる室内照明に適用できる。また本発明のランプユニットにより、テレビ、ホームシアター、エアコン、扇風機、アイロン、暖房機器、調理器具、自動ドア、駐車場等の入庫状況の掲示、カメラ、ブザー、及びスピーカ等のあらゆる外部の電気機器を従来よりも正確かつ適切に制御することができるので、省エネ効果や快適な使用感が期待でき、その産業的利用価値は極めて高い。
【符号の説明】
【００６７】
１００    ランプユニット
１１０    口金
１２０    グローブ
１２１    穴
１２４    反射膜
１３０    発光モジュール
１３１    モジュール基板
１３２ａ〜ｃ    ＬＥＤ素子
１３３ａ〜ｃ    波長変換部材
１３４    モジュール基板
１３５ａ〜ｆ    ＬＥＤ素子
１３６    波長変換部材
１３７、１３８、１３９    ＬＥＤ
１４０    駆動回路
１５０    センサ
１６０    センサ制御回路
２００    ランプユニット
２０１    スピーカ
３００、４００    ランプユニット
４０１    ロッド棒
５００    ランプユニット
５６０    センサ制御回路
５７０    分離回路
６００    ランプシステム
６１０    メインコントロールボックス
６１１    中央認識部
６１２    中央制御部
【図１】
2011204637.tif 000003
【図２】
2011204637.tif 000004
【図３】
2011204637.tif 000005
【図４】
2011204637.tif 000006
【図５】
2011204637.tif 000007
【図６】
2011204637.tif 000008
【図７】
2011204637.tif 000009
【図８】
2011204637.tif 000010
【図９】
2011204637.tif 000011